(57)【要約】【課題】  容易に取外し可能で、しかも破壊者および窃盗犯をあからさまに挑発しない表示商品用の吸着盤取付台を提供する。【解決手段】  表示商品またはその他の商品を表面に取付けるための、吸着盤を含む吸着盤取付台であって、吸着盤が、吸着盤の外面を覆うように嵌め込むシェルを備えており、吸着盤を引き込んで吸着盤内の吸着力を増進するための作動手段をさらに有する吸着盤取付台において、作動手段の動作時に吸着盤の解放タブが可逆的に隠れるように構成されている吸着盤取付台を提供する。【選択図】  図１
2008116046.tif 000002
【特許請求の範囲】
【請求項１】
表示商品またはその他の商品を表面に取付けるための、吸着盤を含む吸着盤取付台であって、前記吸着盤は、その外面を覆うように嵌め込むシェルを備えており、前記吸着盤を引き込んで前記吸着盤内の吸着力を増進するための作動手段をさらに有する吸着盤取付台において、前記吸着盤取付台は、前記作動手段の動作時に前記吸着盤の前記解放タブが可逆的に隠れるように構成されていることを特徴とする吸着盤取付台。
【請求項２】
請求項１に記載の吸着盤取付台において、前記シェルが第１の動作不能位置から第２の動作位置へと移動すると、使用中に前記解放タブが前記シェルにより隠れることを特徴とする吸着盤取付台。
【請求項３】
請求項１または２に記載の吸着盤取付台において、前記作動手段が回転式作動手段を含み、これによって、前記吸着盤に対する回転が所要の吸着を生じることを特徴とする吸着盤取付台。
【請求項４】
請求項３に記載の吸着盤取付台において、前記シェルは前記吸着盤に取付けられ、前記吸着盤に対して回転し、そのような回転中に作動手段がその動作状態に移ることができることを特徴とする吸着盤取付台。
【請求項５】
請求項３または４に記載の吸着盤取付台において、前記シェルは不均一な形状であり、前記吸着盤に対して回転する初期位置では前記吸着盤の前記解放タブが剥き出しになり、前記シェルが第２の動作位置に移動すると、前記シェルの膨張部または拡張部が前記解放タブを隠すことを特徴とする吸着盤取付台。
【請求項６】
請求項１から５のいずれかに記載の吸着盤取付台であって、前記作動手段が、前記吸着盤と一体的に形成または組み立てられるボスを含み、前記ボスは、その外周の周りに螺旋状ねじの少なくとも一部またはカム表面を形成させており、前記シェルの一部の上にあるかまたはシェルと関連した、対応する少なくとも一部の螺旋状ねじまたは協動カム表面と係合し、これによって、前記吸着盤およびボスに対して前記シェルが回転すると前記吸着盤の中央領域が膨張して吸着力が生じることを特徴とする吸着盤取付台。
【請求項７】
請求項６に記載の吸着盤取付台において、前記ボスは円柱型壁の形態であり、したがって前記ねじまたはカム表面は短く、前記シェルの完全な一回転に満たない回転、好ましくは三分の一または四分の一回転に対応して、その第１の動作不能位置からその第２の動作位置へと完全に移動することを特徴とする吸着盤取付台。
【請求項８】
請求項１から７のいずれかに記載の吸着盤取付台において、前記作動手段は、前記盤に対して前記シェルが回転する際、前記シェルを前記盤に向けて付勢するカム表面および／または少なくとも部分的なねじ山と、動作回転位置（完全ロック位置）にあるかまたはほぼその位置にある前記カム表面または少なくとも部分的なねじ山上に切欠またはその他の戻り止め特性とを有し、取り消しに対する初期抵抗をもたらすことを特徴とする吸着盤取付台。
【請求項９】
請求項１から８のいずれかに記載の吸着盤取付台であって、前記シェルが前記吸着盤に閉じ込めて保持される、ただし前記吸着盤に対して回転可能であることを特徴とする吸着盤取付台。
【発明の詳細な説明】
【技術分野】
【０００１】
本発明は、具体的には、窓あるいはその他の平滑な無孔表面に旗を取付けるためのフラッグポール用の取付台に適用可能な（ただし必ずしもこれに専用ではない）表示商品用の吸着盤取付台とその改良に関する。
【背景技術】
【０００２】
フラッグポールをガラスに取付けるための吸着盤／吸着具の使用は、１世紀の大半以上さかのぼる長い歴史をもつが、吸着盤装置が任意の相当な重量物を保持したり、あるいは任意の相当な長さの時間、適所に留まることが、近年まで確実でなかったこと、さらに、店舗の窓の外面で使用される際、破壊者または窃盗犯による改竄を受けやすいままであることを含む、複合する実際上の理由から、商業的に広くは導入されなかった。
【０００３】
一方で、この十年ほどで、吸着盤装置がもたらす吸着の質は劇的に改良され、取付台用の吸着盤の使用は、例えばタオル掛けおよび台所用品戸棚の取付けを含む広範な範囲の様々な用途で普及し始めた。今日の吸着盤装置は一般に、その外面（窓またはその他の取付面から最も遠い面）の上に枠またはシェルを備えた吸着盤または吸着具を含む。枠またはシェルを作動部材が通過し、この作動部材は外枠またはシェルの内側にある吸着盤の後面と係合する。吸着盤の周縁または周辺は、枠またはシェルにより窓表面に対して適所で保持されており、枠またはシェルに対するアクチュエータの運動は、吸着盤の中央部を付着表面から引き離し、吸着盤と付着表面との間に、吸着盤を適所で保持するのに必要な負圧空間を生じるように働く。
【０００４】
概して、当技術分野の吸着盤装置は、平面でみて円形である吸着盤を有し、これも円形でありそれらの吸着盤と同心で直径の僅かに大きい枠またはシェルを備えている。この先行技術の例は特許文献１および特許文献２に見ることができる。前者の英国特許出願では、吸着装置は回転式活性化部材を有する。装置の枠またはシェルは外側シェル内に収容されており、外側シェルは、吸着盤の内面に固締されたボルトと螺合されているので、外側シェルが第１方向へ回転するとボルトが外側シェル内へと押し上げられ、これにより吸着盤の中央部が持ち上がって負圧が発生する。
【０００５】
特許文献２では、活性化部材は一般的な代替の種類のものであり、架台のほうへ傾いて吸着盤上の軸を窓表面から引き離すレバーアームを含む。すべての場合において、装置の取外しは活性化の動きを逆にすることにより活性化される。多くの装置において、例えば特許文献３の装置では、吸着盤に解放タブが提供され、装置の頻繁な取外しを補助する。ところが、解放タブの提供は保安上の問題を悪化させる。というのも、破壊者および窃盗犯なら、解放タブを提供しない場合よりも簡単に装置を取り外せるからである。さらに最近の吸着盤装置のほとんどには解放タブを持たせることが完全に省いてある。
【特許文献１】英国特許出願第２４０３５０５号
【特許文献２】特開２００１‐０８３９１９号
【特許文献３】米国特許第５０８７００５号
【発明の開示】
【発明が解決しようとする課題】
【０００６】
先行技術のこの問題に取り組み、容易に取外し可能で、しかも破壊者および窃盗犯をあからさまに挑発しない表示商品用の吸着盤取付台を提供することが本発明の目的である。
【課題を解決するための手段】
【０００７】
本発明の第１態様により提供するのは、表示商品またはその他の商品用の、吸着盤を含む吸着盤取付台であって、この吸着盤が、吸着盤の外面を覆うように嵌め込むシェルを備えており、使用中に吸着盤を引き込んで吸着盤内の吸着力を増進するための作動手段をさらに有する吸着盤取付台において、活性化手段の動作中に吸着盤の解放タブが可逆的に隠れるように装置が構成されていることを特徴とする吸着盤取付台である。この独特の配置は、破壊者および窃盗犯が装置を取外そうと粘るのを阻止する。
【０００８】
具体的には、使用中、第１の動作不能位置から第２の動作位置へとシェルが移動すると、解放タブがシェルにより隠れるのが好ましい。好適には、作動手段は回転式作動手段を含み、これによって、吸着盤に対する回転が所要の吸着を生じる。
【０００９】
シェルは吸着盤に取付けられ、この吸着盤に対して回転し、そのような回転中に作動手段がその動作状態に移ることができるのが好ましい。シェルは不均一な形状であり、吸着盤に対して回転する初期位置では吸着盤の解放タブが剥き出しになり、シェルが第２の動作位置に移動すると、シェルの膨張部または拡張部が解放タブを隠すのが好ましい。
【００１０】
作動手段は、吸着盤と一体的に形成または組み立てられるボスを含み、このボスは、その外周の周りに螺旋状ねじの少なくとも一部またはカム表面を形成させており、シェルの一部の上にあるかまたはシェルと関連した、対応する少なくとも一部の螺旋状ねじまたは協動カム表面と係合し、これによって、吸着盤およびボスに対してシェルが回転すると吸着盤の中央領域が膨張して吸着力が生じるのが好ましい。ボスはボルトではなく円柱型壁の形態であり、したがってねじまたはカム表面は短く、シェルの完全な一回転に満たない回転、好ましくは三分の一または四分の一回転に対応して、その第１の動作不能位置からその第２の動作位置へと完全に移動するのが好ましい。
【００１１】
作動手段は、盤に対してシェルが回転する際、シェルを盤に向けて付勢するカム表面および／または少なくとも部分的なねじ山と、動作回転位置（完全ロック位置）にあるかまたはほぼその位置にあるカム表面または少なくとも部分的なねじ山上に切欠またはその他の戻り止め特性とを有し、取り消しに対する初期抵抗をもたらすのが有利である。このことは窃盗犯または破壊者を阻止するのにさらに役立つことになる。
【発明を実施するための最良の形態】
【００１２】
次に、本発明の好適な実施形態を、添付の図面を参照して、例示によってより具体的に説明する。
【００１３】
複数の図に表すように、本発明の好適な実施形態は、フラッグポールのベース端を受ける旗用の取付台として、窓あるいはその他のガラス張りかまたは実質平滑で堅く剛性の、実質汚れのない無孔表面に旗を取付けるために構成されている。
【００１４】
この装置は５つの主要部品から組み立てられている。第１に、装置は、ＰＶＣまたはその他の好適な材料から成形された吸着盤１を含み、この吸着盤１は円板の形を有し、その下面に弓形の中央領域２と、その上面に環状の周縁壁３とを備えている。吸着盤１の周辺から、解放タブ４が、対向する地点で耳片として突出している。解放タブ４は吸着盤１の拡張部として形成されており、窓に取付けられると一方が実質垂直方向で上方を指すと同時に他方が下方を指す目的で、相互に対して正反対な位置にある。
【００１５】
装置の第２構成部品は、アクリロニトリルスチレンアクリレート（ＡＳＡ）またはその他の適切な、剛性かつ堅牢な材料の成形品として形成された、ねじ切りしたボス５を含み、このボス５は、吸着盤１の成形構成中に、好適には吸着盤１の上方／外面に埋め込まれて、これら２つが一体的に組み立てられる。ねじ切りしたボス５はベースプレート部５ａを有し、アパーチャ６の環状アレイがその外周縁部に続いており、このアパーチャ６により、吸着盤１のＰＶＣ材料はそこを通って分散し、ボス５と吸着盤１とを完全に互いに噛み合わせることができるので、ボスは吸着盤１に適所で固定されるだけでなく、その吸着盤１に対する回転からもしっかりと固定される。
【００１６】
ねじ切りしたボス部品５は、吸着盤１から外側を向く直立した円筒形壁７を有し、この円筒形壁７は、その外周面の周りに雄ねじ山８を有し、この雄ねじ山８は、短いが深い３つのねじ山フランジ区域から形成されている。円筒形壁７の内周面／穴には複数のスプライン９が設けられており、これらのスプライン９は、長手方向に、すなわち吸着盤１から実質垂直に延びている。
【００１７】
装置の第３構成部品は締付けリング１０を含み、この締付けリング１０も好適にはＡＳＡから成形されており、装置の回転式外側部品の低摩擦力‐伝達インタフェースを吸着盤１に提供するのに役立つ。図２に見られるように、締付けリング１０は、円錐台形の外周面を備えた概ね円筒形の部分を有し、広いベース部１０ａを有して、回転可能な外側部品用の軸受段面を提供する。
【００１８】
回転可能な外側部品はケース／カバー部品またはシェル１１を含み、このシェル１１は、平面でみて概ね卵形の形状であるが、卵のように非対称ではなく、正面図（図３を参照）に見られるように、むしろより扁平な円の形状であり、すなわち偏球に類似している。このシェル１１は、内在する吸着盤１と締付けリング１０とを実質全体的に包み込み、正面図に見られるように、シェル１１が回転して位置決めされて、その最長寸法が、吸着盤１の両側から周辺に突出する解放タブ４間の軸と整列すると、シェル１１はその最長寸法で全体的に解放タブ４を覆うような程度となる。正面図に見られるように、シェル１１の最短寸法は、シェル１１が回転して位置決めされてその最短寸法が解放タブ４間の軸と整列すると、それらの解放タブ４がシェル１１を越えて突出してユーザがアクセス可能となり、シェルが接着された表面から装置を取外しできるようなものとなる。
【００１９】
シェル１１は、好適にはこれもＡＳＡから成形されて円形の陥凹中央領域１１ａを有し、この中央領域は、その中心軸を包囲する円筒形壁１２を組み入れる。円筒形壁１２は、雄ねじを切ったボス５の直立した円筒形壁７の上に据えるような直径である内部穴を有し、シェルの円筒形壁１２の内周面に雌ねじ構成１３が設けられる。
【００２０】
１組の、等距離で離間する３つのリブ１４が、円筒形壁１２の外径とシェル１１の円形凹部１１ａの直径との間の空隙に亘って円筒形壁１２から外側に放射している。これらのリブ１４の各々は３つの機能を有する。その機能とは、使用中にシェル１１が回転する際にカムフォロアのように働くこと、補強リブとして機能すること、および、端止め部２４に対し一緒に動く面を提供して、シェル１１がその動作回転位置に達するとシェルの確実な位置合わせを行うことができる。強度を加えて完全にするため、リブ１４の各々は、平面でみて（すなわち装置の前側から見て）十字の形を有し、強化された構造をもたらす。
【００２１】
図９に示すシェル１１の横輪郭図から、側面に見られるように、シェルの凹部１１ａの周縁１５は僅かに凹形をしている。シェルの上端または下端に見られるように、周縁１５は僅かに凸形をしている。シェルの凹部の周縁１５のこの起伏は、輪郭が、回転部品である旗取付けソケット／タレット１７のベース部１６に適合できるようにするものである。
【００２２】
シェル１１の後方／内面には１対の柔らかいパッド脚部１８が設けられて、使用中に装置に加えられる表面の掻傷から保護される。シェル１１の下方／後面上のさらなる重要な構造特性とは、シェル１１の円筒形壁１２の後方／下面から後ろに突出する円柱状突起１９のリングであり、これらの突起は、締付けリング１０内に据わり、締付けリング１０で保持されて、使用中にこの締付けリングをしっかりと吸着盤１に押し付けるのに役立つ。円柱状突起１９のリングの外径は、締付けリング１０の内径に適合すると同時に、締付けリング１０の外径はその最も広い地点で吸着盤１の内部周縁３の内径に適合するので、使用中に吸着盤１の周縁が取付面に一様にしっかりと押し付けられることが確実になる。
【００２３】
旗取付けソケット／タレット１７もやはり好適にはベース部１６を備えたＡＳＡ成形品であり、このベース部は、ねじ切りしたボス５に一体的に組み立てられており、このボスは吸着盤１に一体的に組み立てられている。タレットベース部１６の外面には、円筒形のタレット／ソケット突起２０が突出しており、使用中、フラッグポールのベースがこのタレット／ソケット突起内に嵌合する。図に見られるように、円筒形タレット／ソケット構成１７は、使用中、装置から外側へ直角にではなく外側で上方に傾斜して向くように傾いているので、旗を上方へ傾けて支持し、旗の支持を最適化する。
【００２４】
タレットベース部１６は外面で輪郭形成されており、シェル１１がその動作回転位置にあるとき、タレットベース部１６の外部輪郭がシェル１１の外部輪郭と同一平面のまま留まるようにシェル１１の輪郭が適合する。
【００２５】
タレットベース部１６の下面には幾つかの重要な構造・機能特性が設けられる。第１に、内方／後方に延びる概ね円柱型の壁２１が存在し、この壁は段付き周縁／端面２２を有し、この段付き周縁／端面２２は、等角度に離間した３つの別々の上昇カム表面２１ａ、２１ｂ、２１ｃを有し、これらのカム表面は、使用中、シェル１１上でリブ１４の外面と協働する。最も遠くに、すなわち吸着盤１の最も近くに延びる各上昇カム区域２２ａ、２２ｂ、２２ｃの端部に小さい刻み目／切欠２３が設けられ、対応するリブ１４および端止め部２４用に場所が与えられる。シェル１１がその使用中の位置へと回転したとき、リブ１４の止め面が端止め部２４に接する。
【００２６】
前述のように、タレットベース部１６は、吸着盤１の雄ねじを切ったボス５に一体的に組み立てられている。タレットベース部１６の後面から後方へ突出する内側円筒形壁２６に設けられるスプライン２５により、タレットベース部１６とボス５との間の任意の相対回転が防止される。これらのスプライン２５は、ボスの円筒形壁７の内周面／穴のスプライン９と噛み合う。さらに、タレットベース部１６はねじ切りしたボス５内へしっかりと固定されるので、これらの２つが使用中に離れることはない。
【００２７】
装置の据付／操作の順序は非常に単純であり、必要となるのは、ただ使用者が、装置を取付けるべき表面まで装置を持ち上げ、装置の吸着盤１を表面へと押し付けると同時に、装置が上方に角度を成すタレット突起２０に正しく向けられていること、および装置が、装置の上縁および下縁に位置する吸着盤１の解放タブ４に対応していること、ならびに、２つの解放タブ４間の線が実質垂直に向いていることを確実にすることだけである。最初に、シェル１１は、装置の非回転部分（タレットソケット部品１７、雄ねじを切ったボス５、吸着盤１）に対してその回転位置にあり、そこではシェル１１は自由位置にある（ここではタブ４間の軸に対して実質横方向にあるものとして示す）。据付手順の次の段階は、単に、装置を取付面に押し付けるのを継続しつつ、シェル１１を回転方向に（ここでは時計回りに）四分の一回転、旋回させてシェル１１をその動作状態にし、シェル１１の長軸をタブ４間の軸と位置合わせする、すなわち実質垂直にすることである。この動作状態において、タブ４はシェル１１の真下に完全に隠れており（図２のとおり）、吸着盤１は取付面にしっかりと接着されることになる。
【００２８】
タレットベース部１６の周りでシェル１１を旋回する間、カム表面２２ａ、２２ｂ、２２ｃが徐々にシェルのリブ１４へさらにしっかりと押し下げられると端止め部２４に達して、リブ１４が端部切欠２３内に入り込む。このことによりシェル１１は吸着盤１に対してさらにしっかりと押し下げられ、締付けリング１０が吸着盤１の周縁壁３にしっかりと押し付けられる。同時に、雄ねじを切ったボス５の雄ねじ山８がシェル１１の雌ねじ１３とさらに噛み合うと、上述のカム作用により、シェル１１をボス５に向けて同時に押し付けることで、ボス５が吸着盤１から外方へ引っ張られ、これによって所要の吸着力が増進される。装置を取外すには、シェル１１を十分な力で逆の方向へ旋回すると、切欠２３からの初期抵抗が克服される。いったんシェル１１を初期位置に戻したら、タブ４を引っ張り、装置を自由に剥ぎ取る。
【産業上の利用可能性】
【００２９】
前述の説明から理解されるように、本発明が提供するのは、フラッグポールまたはその他の表示商品用の吸着取付装置を適所で確実に据付ける結果、長い動作期間にわたって離れないこと、あるいは必要な頻繁だけ容易に取外しできること、さらに破壊者および窃盗犯が装置を取外すのが阻止され、最初にシェル１１を回転させずには装置を取外せないのを確実にするための、極めて簡潔で効果的な配置である。
【図面の簡単な説明】
【００３０】
【図１】フラッグポール用の取付台を含む装置の構成部品を相互から分解した、本発明の好適な実施形態の全体的な組立図である。
【図２】組立て動作状態にある装置を通る垂直断面図である。
【図２Ａ】共に一体的に組み立てられる装置の非回転部分の右側面図である（非回転部分間に閉じ込めて保持される回転式シェルは明確にするため省略する）。
【図３】装置のシェルまたはカバー部品の、前後１対の正面図である。
【図４】装置のタレット（フラッグポールソケット）部品の、前後１対の正面図である。
【図５】装置のねじ切りしたボス部品の、前後１対の正面図である。
【図６】装置の締付けリング部品の、前後１対の正面図である。
【図７】装置の吸着盤部品の、前後１対の正面図である。
【図８】窓ガラス等の表面に取付けて吸着盤を活性化するための、組み立てられた装置のその初期状態での前側斜視図であり、矢印は吸着盤に対するシェル／カバー部品の旋回方向を示している。
【図９】図８の装置の、１対の正面図および側面図を、その動作状態で示す。
【符号の説明】
【００３１】
１  吸着盤
２  中央領域
３  周縁壁
４  解放タブ
５  ボス
５ａ  ベースプレート部
６  アパーチャ
７  円筒形壁
８  雄ねじ山
９  スプライン
１０  締付けリング
１１  シェル
１１ａ  陥凹中央領域
１２  円筒形壁
１３  雌ねじ
１４  リブ
１５  周縁
１６  ベース部
１７  タレット
１８  パッド脚部
１９  円柱状突起
２０  突起
２１  壁
２２  端面
２３  切欠
２４  端止め部
２５  スプライン
２６  内側円筒形壁
【図１】
2008116046.tif 000003
【図２】
2008116046.tif 000004
【図２Ａ】
2008116046.tif 000005
【図３】
2008116046.tif 000006
【図４】
2008116046.tif 000007
【図５】
2008116046.tif 000008
【図６】
2008116046.tif 000009
【図７】
2008116046.tif 000010
【図８】
2008116046.tif 000011
【図９】
2008116046.tif 000012